(57)【要約】      （修正有）【課題】情報処理装置と周辺機器との取り付け部分にかかる負荷を低減すること。【解決手段】情報処理装置に固定されて使用される周辺機器であって、他の機器とデータ通信を行うための通信用端子１２と、通信用端子と他の機器における通信用端子とが電気的に接続した状態で他の機器との間で引力を発生する引力発生部（磁石）１３と、を備える。【選択図】図１
2017033453.tif 000002
【特許請求の範囲】
【請求項１】
情報処理装置に固定されて使用される周辺機器であって、
他の機器とデータ通信を行うための通信用端子と、
前記通信用端子と前記他の機器における通信用端子とが電気的に接続した状態で前記他の機器との間で引力を発生する引力発生部と、
を備えることを特徴とする周辺機器。
【請求項２】
前記通信用端子と前記他の機器における通信用端子とが電気的に接続した状態で前記他の機器を固定する固定部を備えることを特徴とする請求項１に記載の周辺機器。
【請求項３】
前記通信用端子は、ＵＳＢ規格、ＳＤＩＯ規格、ＰＣＩ  Ｅｘｐｒｅｓｓ規格、ＨＤＭＩ（登録商標）規格の少なくともいずれかに準拠していることを特徴とする請求項１又は２に記載の周辺機器。
【請求項４】
前記他の機器は、メモリカード、ＳＤカード、フラッシュメモリ、ＵＳＢメモリ、無線通信機の少なくともいずれかであることを特徴とする請求項１乃至３いずれか１項に記載の周辺機器。
【請求項５】
電源供給を受ける電源受給部を備えることを特徴とする請求項１乃至４いずれか１項に記載の周辺機器。
【請求項６】
前記情報処理装置は、画像表示装置であることを特徴とする請求項１乃至５いずれか１項に記載の周辺機器。
【請求項７】
他の機器を情報処理装置に接続するための接続機器であって、
前記情報処理装置とデータ通信を行うための第一の通信用端子と、
前記他の機器とデータ通信を行うための第二の通信用端子と、
前記第二の通信用端子と前記他の機器における通信用端子とが電気的に接続した状態で前記他の機器との間で引力を発生する引力発生部と、
を備えることを特徴とする接続機器。
【請求項８】
情報処理装置に固定されて使用される周辺機器への機器の取り付け方法であって、
前記周辺機器において他の機器とデータ通信を行うための通信用端子と、前記他の機器において前記周辺機器とデータ通信を行うための通信用端子とが電気的に接続した状態で、前記周辺機器と前記他の機器との間で引力を発生させることにより前記周辺機器に前記他の機器を取り付けることを特徴とする周辺機器への機器の取り付け方法。
【発明の詳細な説明】
【技術分野】
【０００１】
本発明は、周辺機器、接続機器、周辺機器への機器の取り付け方法の取り付け方法に関する。
【背景技術】
【０００２】
近年、ＰＣ（Ｐｅｒｓｏｎａｌ  Ｃｏｍｐｕｔｅｒ）や画像表示装置などの情報処理装置の機能やストレージを拡張したり情報処理装置の初期設定をしたりするために、情報処理装置に直接取り付けられて使用されるドングル型デバイスが知られている（例えば、特許文献１、２を参照）。また、このようなドングル型デバイスのうち、その機能やストレージを拡張するために、拡張デバイスが取り付けられて使用されるドングル型デバイスが知られている。
【発明の概要】
【発明が解決しようとする課題】
【０００３】
ところが、このようなドングル型デバイスは、情報処理装置に取り付けられている状態においては、データ通信用の端子（以下、「通信用端子」とする）のみで情報処理装置に固定されているため、ドングル型デバイスに対する拡張デバイスの着脱の際に通信用端子に負荷がかかってしまう。
【０００４】
そのため、ドングル型デバイスと情報処理装置とが取り付けられている状態においてドングル型デバイスに対する拡張デバイスの着脱が行われると、情報処理装置とドングル型デバイスとの接続や通信が不安定になったり、情報処理装置とドングル型デバイスとの取り付け部である通信用端子が破損したりするといった問題がある。
【０００５】
尚、このような問題は、ドングル型デバイスに限らず、情報処理装置の機能やストレージを拡張したり情報処理装置の初期設定をしたりするために、情報処理装置に直接取り付けられて使用され、通信用端子のみで情報処理装置に固定される周辺機器であれば同様に生じ得る問題である。
【０００６】
本発明は、このような課題を解決するためになされたものであり、情報処理装置と周辺機器との取り付け部分にかかる負荷を低減することを目的とする。
【課題を解決するための手段】
【０００７】
上記課題を解決するために、本発明の一態様は、情報処理装置に固定されて使用される周辺機器であって、他の機器とデータ通信を行うための通信用端子と、前記通信用端子と前記他の機器における通信用端子とが電気的に接続した状態で前記他の機器との間で引力を発生する引力発生部と、を備えることを特徴とする。
【発明の効果】
【０００８】
本発明によれば、情報処理装置と周辺機器との取り付け部分にかかる負荷を低減することができる。
【図面の簡単な説明】
【０００９】
【図１】本発明の実施形態に係るドングル型デバイスの構成を示す図である。
【図２】本発明の実施形態に係るドングル型デバイスの構成を示す図である。
【図３】本発明の実施形態に係るドングル型デバイスの構成を示す図である。
【図４】本発明の実施形態に係る拡張デバイスの構成を示す図である。
【図５】本発明の実施形態に係る拡張デバイスの構成を示す図である。
【図６】本発明の実施形態に係るドングル型デバイスへの拡張デバイスの取り付け方法を説明するための図である。
【図７】本発明の実施形態に係るドングル型デバイスへの拡張デバイスの取り付け方法を説明するための図である。
【図８】本発明の実施形態に係るドングル型デバイスへの拡張デバイスの取り付け方法を説明するための図である。
【図９】本発明の実施形態に係るドングル型デバイスへの拡張デバイスの取り付け方法を説明するための図である。
【図１０】本発明の実施形態に係る変換アダプタの構成を示す図である。
【図１１】本発明の実施形態に係る変換アダプタの構成を示す図である。
【図１２】本発明の実施形態に係る変換アダプタの構成を示す図である。
【図１３】本発明の実施形態に係る変換アダプタへの拡張デバイスの取り付け方法を説明するための図である。
【図１４】本発明の実施形態に係る変換アダプタへの拡張デバイスの取り付け方法を説明するための図である。
【図１５】本発明の実施形態に係る変換アダプタへの拡張デバイスの取り付け方法を説明するための図である。
【図１６】本発明の実施形態に係る変換アダプタへの拡張デバイスの取り付け方法を説明するための図である。
【図１７】本発明の実施形態に係るドングル型デバイスのハードウェア構成を模式的に示すブロック図である。
【発明を実施するための形態】
【００１０】
以下、図面を参照して、本発明の実施形態を詳細に説明する。本実施形態においては、ＰＣ（Ｐｅｒｓｏｎａｌ  Ｃｏｍｐｕｔｅｒ）や画像表示装置などの情報処理装置の機能やストレージを拡張したり情報処理装置の初期設定をしたりするために、データ通信用の端子（以下、「通信用端子」とする）が情報処理装置側の通信用端子に直接取り付けられて使用され、その通信用端子のみで情報処理装置に固定される周辺機器について説明する。
【００１１】
より具体的には、ＰＣや画像表示装置などの情報処理装置の機能やストレージを拡張したり情報処理装置の初期設定をしたりするために、ＵＳＢ（Ｕｎｉｖｅｒｓａｌ  Ｓｅｒｉａｌ  Ｂｕｓ）やＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）、ＳＤＩＯ（Ｓｅｃｕｒｅ  Ｄｉｇｉｔａｌ  Ｉｎｐｕｔ／Ｏｕｔｐｕｔ）、ＰＣＩ（Ｐｅｒｉｐｈｅｒａｌ  Ｃｏｍｐｏｎｅｎｔ  Ｉｎｔｅｒｃｏｎｎｅｃｔ）  Ｅｘｐｒｅｓｓなどの通信用端子により情報処理装置側の通信用端子に直接取り付けられて使用され、その通信用端子のみで情報処理装置に固定される周辺機器について説明する。
【００１２】
このような周辺機器の一例として、ＵＳＢ端子やＨＤＭＩ（登録商標）端子などの通信用端子が画像表示装置側のＵＳＢ入力端子やＨＤＭＩ（登録商標）入力端子などの通信用端子に直接取り付けられて使用される映像再生デバイスやＰＣなどのドングル型デバイスが挙げられる。このようなドングル型デバイスは、画像表示装置を備えていないため、画像表示装置に接続されて使用され、接続された画像表示装置に画像を表示するようになっている。
【００１３】
また、本実施形態に係るドングル型デバイスは、その機能やストレージを拡張するために、メモリカードやＳＤカード、フラッシュメモリ、ＵＳＢメモリ、無線通信機などの拡張デバイスが取り付けられて使用される。
【００１４】
このようなドングル型デバイスにおいて、本実施形態に係る要旨の一つは、磁力（引力）により拡張デバイスが着脱可能なように構成されていることにある。本実施形態に係るドングル型デバイスは、このように構成されることで、ユーザが容易に拡張デバイスを着脱することが可能となる。
【００１５】
従って、本実施形態に係るドングル型デバイスは、情報処理装置に対するドングル型デバイスの着脱の際に、情報処理装置と機能拡張装置との取り付け部分にかかる負荷を低減することが可能となる。これにより、本実施形態に係るドングル型デバイスは、情報処理装置とドングル型デバイスとの接続や通信が不安定になったり、情報処理装置と機能拡張装置との取り付け部である通信用端子が破損したりするといったことを防止することが可能となる。
【００１６】
まず、本実施形態に係るドングル型デバイス１、拡張デバイス２の構成について、図１〜図７を参照して説明する。図１〜図３は本実施形態に係るドングル型デバイス１の構成を示す図である。図４、図５は本実施形態に係る拡張デバイス２の構成を示す図である。図６〜図９は、本実施形態に係るドングル型デバイス１への拡張デバイス２の取り付け方法を説明するための図である。
【００１７】
図３に示すように、本実施形態に係るドングル型デバイス１は、ＨＤＭＩ（登録商標）端子１１が画像表示装置のＨＤＭＩ（登録商標）入力端子に直接取り付けられて使用され、画像表示装置に対して画像を出力する映像再生デバイスである。
【００１８】
また、図１、図２に示すように、本実施形態に係るドングル型デバイス１は、底面に電源、グランド、ＵＳＢ、ＨＤＭＩ（登録商標）、ＳＤＩＯ、ＰＣＩ  Ｅｘｐｒｅｓｓなどの通信用端子１２を備え、Ｅｔｈｅｒｎｅｔ（登録商標）、Ｂｌｕｅｔｏｏｔｈ（登録商標）、Ｗｉ−Ｆｉ（Ｗｉｒｅｌｅｓｓ  Ｆｉｄｅｌｉｔｙ）（登録商標）、３Ｇ、ＰＨＳ（Ｐｅｒｓｏｎａｌ  Ｈａｎｄｙ−ｐｈｏｎｅ  Ｓｙｓｔｅｍ）などを介した無線通信を行うための無線通信機、メモリカード、ＳＤカード、フラッシュメモリ、ＵＳＢメモリ、カードリーダなどの拡張デバイス２と電気的接続が可能なように構成されている。
【００１９】
本実施形態に係るドングル型デバイス１は、図６〜図９に示すように、この通信用端子１２が拡張デバイス２側の通信用端子２２と電気的に接続することで、拡張デバイス２とデータ通信が可能なように構成されている。尚、本実施形態に係るドングル型デバイス１は、複数種類の通信用端子１２を備え、複数種類の拡張デバイス２が着脱可能なように構成されている。
【００２０】
また、図１、図２に示すように、本実施形態に係るドングル型デバイス１は、底面に、即ち、拡張デバイス２の取り付け面に磁石１３が埋め込まれている。
【００２１】
本実施形態に係るドングル型デバイス１は、図６〜図９に示すように、この磁石１３による磁力（引力）により、ドングル型デバイス１側の通信用端子１２と拡張デバイス２側の通信用端子２２とが電気的に接続した状態で拡張デバイス２を固定する。即ち、本実施形態においては、磁石１３が引力発生部として機能する。
【００２２】
また、図１、図２に示すように、本実施形態に係るドングル型デバイス１は、別途電源をとる必要があるため、電源入力端子１４にＡＣアダプタやＵＳＢホスト端子などが接続され、それらから電源供給を受けて動作する。即ち、本実施形態においては、電源入力端子１４が電源受給部として機能する。尚、この他、本実施形態に係るドングル型デバイス１は、ＨＤＭＩ（登録商標）端子１１を介して画像表示装置から電源供給を受けて動作するように構成されていても良い。
【００２３】
一方、図４、図５に示すように、本実施形態に係る拡張デバイス２は、底面に電源、グランド、ＵＳＢ、ＨＤＭＩ（登録商標）、ＳＤＩＯ、ＰＣＩ  Ｅｘｐｒｅｓｓなどの通信用端子２１を備え、ドングル型デバイス１に対して着脱可能なように構成されている。
【００２４】
本実施形態に係る拡張デバイス２は、図６〜図９に示すように、この通信用端子２２がドングル型デバイス１側の通信用端子１２と電気的に接続することで、ドングル型デバイス１とデータ通信が可能なように構成されている。
【００２５】
また、図４、図５に示すように、本実施形態に係る拡張デバイス２は、底面に、即ち、ドングル型デバイス１への取り付け面に磁石２３が埋め込まれている。
【００２６】
本実施形態に係る拡張デバイス２は、図６〜図９に示すように、この磁石１２による磁力（引力）により、ドングル型デバイス１側の通信用端子１２と拡張デバイス２側の通信用端子２２とが電気的に接続した状態でドングル型デバイス１に固定される。
【００２７】
尚、本実施形態においては、ドングル型デバイス１と拡張デバイス２とが電気的に接続した状態でそれらの取り付け位置がずれたり、ドングル型デバイス１への拡張デバイス２の取り付けの際の位置合わせをしたりするために、ドングル型デバイス１と拡張デバイス２とには互いに嵌合する凹凸や枠などの固定部が備えられている。
【００２８】
このように、本実施形態に係るドングル型デバイス１は、磁力（引力）により拡張デバイス２が着脱可能なように構成されている。本実施形態に係るドングル型デバイス１は、このように構成されることで、ユーザが容易に拡張デバイス２を着脱することが可能となる。
【００２９】
従って、本実施形態に係るドングル型デバイス１は、画像表示装置に対するドングル型デバイス１の着脱の際に、画像表示装置とドングル型デバイス１との取り付け部分にかかる負荷を低減することが可能となる。これにより、本実施形態に係るドングル型デバイス１は、画像表示装置とドングル型デバイス１との接続や通信が不安定になったり、画像表示装置とドングル型デバイス１との取り付け部である通信用端子が破損したりするといったことを防止することが可能となる。
【００３０】
特に、画像表示装置においては通信用端子が背面に配置されているため、画像表示装置に取り付けられている状態のドングル型デバイスに対してユーザが拡張デバイスを着脱することは困難である。これに対し、本実施形態に係るドングル型デバイス１は、磁力（引力）により拡張デバイス２が着脱可能なように構成されているため、このような状況であっても、ユーザが容易に拡張デバイス２を着脱することが可能である。
【００３１】
つまり、通信用端子だけで画像表示装置に固定されているドングル型デバイスに対してユーザが拡張デバイスを着脱することは困難であり、場合によっては、ドングル型デバイスと画像表示装置との取り付け部である通信用端子が破損してしまう。
【００３２】
そのため、ユーザは、ドングル型デバイスに対して拡張デバイスを着脱する際にはドングル型デバイスを両手でしっかり支えなければならない。ところが、テレビやディスプレイなどの画像表示装置においては通信用端子が背面に配置されているため、ユーザは、ドングル型デバイスを両手でしっかり支えることは困難となる。
【００３３】
これに対し、本実施形態に係るドングル型デバイス１は、磁力（引力）により拡張デバイス２が着脱可能なように構成されているため、ユーザは、片手でも簡単に拡張デバイス２をドングル型デバイス１に対して着脱することが可能である。従って、本実施形態に係るドングル型デバイス１であれば、ユーザは、通信用端子に余計な負荷をかけずにドングル型デバイス１に対して拡張デバイス２を着脱することが可能となる。
【００３４】
尚、本実施形態に係る拡張デバイス２は、磁力（引力）によりドングル型デバイス１に対して着脱可能なように構成されているため、ＰＣ（Ｐｅｒｓｏｎａｌ  Ｃｏｍｐｕｔｅｒ）やサーバなどの情報処理装置における汎用の通信用端子にはそのままでは接続され得ない。
【００３５】
そこで、本実施形態においては、拡張デバイス２を汎用の通信用端子に接続するための変換アダプタ３が用意されている。
【００３６】
ここで、本実施形態に係る変換アダプタ３の構成について、図１０〜図１６を参照して説明する。図１０〜図１２は本実施形態に係る変換アダプタ３の構成を示す図である。図１３〜図１６は、本実施形態に係る変換アダプタ３への拡張デバイス２の取り付け方法を説明するための図である。
【００３７】
図１０〜図１２に示すように、本実施形態に係る変換アダプタ３は、ＵＳＢ端子やＨＤＭＩ（登録商標）端子などの汎用の通信用端子３１を備え、ＰＣやサーバなどの情報処理装置における汎用の通信用端子に接続可能なように構成されている。
【００３８】
また、図１０、図１１に示すように、本実施形態に係る変換アダプタ３は、底面にドングル型デバイス１の通信用端子１２と同じ構造の通信用端子３２を備え、拡張デバイス２と電気的接続が可能なように構成されている。
【００３９】
ＰＣやサーバなどの情報処理装置は、通信用端子３１が接続された状態で、図１３〜図１６に示すように、通信用端子３２が拡張デバイス２側の通信用端子２２と電気的に接続することで、変換アダプタ３を介して拡張デバイス２とデータ通信が可能となる。
【００４０】
また、図１０、図１１に示すように、本実施形態に係る変換アダプタ３は、底面に、即ち、拡張デバイス２の取り付け面に磁石３３が埋め込まれている。
【００４１】
本実施形態に係る変換アダプタ３は、図１３〜図１６に示すように、この磁石３３による磁力（引力）により、変換アダプタ３側の通信用端子３２と拡張デバイス２側の通信用端子２２とが電気的に接続した状態で拡張デバイス２を固定する。
【００４２】
尚、本実施形態においては、変換アダプタ３と拡張デバイス２とが電気的に接続した状態でそれらの取り付け位置がずれたり、変換アダプタ３への拡張デバイス２の取り付けの際の位置合わせをしたりするために、変換アダプタ３と拡張デバイス２とには互いに嵌合する凹凸や枠などが備えられている。
【００４３】
また、本実施形態に係る変換アダプタ３は、拡張デバイス２よりも小さければ小さいほど好適である。なぜならば、変換アダプタ３が情報処理装置、及び、拡張デバイス２と接続されている状態において、情報処理装置が落下したりするなどして拡張デバイス２に衝撃が加わった場合、拡張デバイス２と変換アダプタ３とが容易に外れることにより、通信用端子３１や情報処理装置側の通信用端子が破損することを防止することが可能となるためである。
【００４４】
次に、本実施形態に係るドングル型デバイス１のハードウェア構成について、図１７を参照して説明する。図１７は、本実施形態に係るドングル型デバイス１のハードウェア構成を模式的に示すブロック図である。
【００４５】
図１７に示すように、本実施形態に係るドングル型デバイス１は、ＣＰＵ（Ｃｅｎｔｒａｌ  Ｐｒｏｃｅｓｓｉｎｇ  Ｕｎｉｔ）１００、ＲＡＭ（Ｒａｎｄｏｍ  Ａｃｃｅｓｓ  Ｍｅｍｏｒｙ）１０１、ＲＯＭ（Ｒｅａｄ  Ｏｎｌｙ  Ｍｅｍｏｒｙ）１０２、ＮＶＲＡＭ（Ｎｏｎ  Ｖｏｌａｔｉｌｅ  Ｒａｎｄｏｍ  Ａｃｃｅｓｓ  Ｍｅｍｏｒｙ）１０３、無線通信用Ｉ／Ｆ１０４、拡張デバイス用Ｉ／Ｆ１０５、画像出力用Ｉ／Ｆ１０６がバス１０７を介して接続されて構成されている。
【００４６】
ＣＰＵ１００は演算手段であり、ドングル型デバイス１全体の動作を制御する。ＲＡＭ１０１は、情報の高速な読み書きが可能な揮発性の記憶媒体であり、ＣＰＵ１００が情報を処理する際の作業領域として用いられる。ＲＯＭ１０２は、読み出し専用の不揮発性記憶媒体であり、ファームウェア等のプログラムが格納されている。
【００４７】
ＮＶＲＡＭ１０３は、情報の読み書きが可能な不揮発性の記憶媒体であり、画像データ等の各種データや、ＯＳ（Ｏｐｅｒａｔｉｎｇ  Ｓｙｓｔｅｍ）、各種制御プログラム、アプリケーション・プログラム等の各種プログラムを格納する。
【００４８】
無線通信用Ｉ／Ｆ１０４は、ドングル型デバイス１が他の装置と無線通信するためのインタフェースであり、Ｅｔｈｅｒｎｅｔ（登録商標）や、Ｂｌｕｅｔｏｏｔｈ（登録商標）、Ｗｉ−Ｆｉ（登録商標）などのインタフェースが用いられる。
【００４９】
拡張デバイス用Ｉ／Ｆ１０５は、ドングル型デバイス１の機能やストレージを拡張するために、拡張デバイス２が接続されるインタフェースであり、ＵＳＢやＨＤＭＩ（登録商標）、ＳＤＩＯ、ＰＣＩ  Ｅｘｐｒｅｓｓなどのインタフェースが用いられる。
【００５０】
画像出力用Ｉ／Ｆ１０６は、ドングル型デバイス１が画像表示装置に画像データを出力するために、画像表示装置に接続されるインタフェースであり、ＵＳＢやＨＤＭＩ（登録商標）、ＳＤＩＯ、ＰＣＩ  Ｅｘｐｒｅｓｓなどのインタフェースが用いられる。
【００５１】
以上、説明したように、本実施形態に係るドングル型デバイス１は、磁力（引力）により拡張デバイス２が着脱可能なように構成されている。本実施形態に係るドングル型デバイス１は、このように構成されることで、ユーザが容易に拡張デバイス２を着脱することが可能となる。
【００５２】
従って、本実施形態に係るドングル型デバイス１は、画像表示装置に対するドングル型デバイス１の着脱の際に、画像表示装置とドングル型デバイス１との取り付け部分にかかる負荷を低減することが可能となる。これにより、本実施形態に係るドングル型デバイス１は、画像表示装置とドングル型デバイス１との接続や通信が不安定になったり、画像表示装置とドングル型デバイス１との取り付け部である通信用端子が破損したりするといったことを防止することが可能となる。
【００５３】
尚、本実施形態においては、ドングル型デバイス１と拡張デバイス２とがそれぞれ磁石１３、磁石２３を備え、それらの磁石による磁力（引力）により、ドングル型デバイス１側の通信用端子１２と拡張デバイス２側の通信用端子２２とが電気的に接続した状態で拡張デバイス２がドングル型デバイス１に固定される例について説明した。
【００５４】
この他、ドングル型デバイス１と拡張デバイス２とのうちいずれか一方のみが磁石を備え、もう一方は磁性体を備えるように構成されていても、ドングル型デバイス１側の通信用端子１２と拡張デバイス２側の通信用端子２２とが電気的に接続した状態で拡張デバイス２がドングル型デバイス１に固定される。また、拡張デバイス２と変換アダプタ３とについても同様である。
【００５５】
また、本実施形態に係る構成は、ドングル型デバイス１に限らず、ＰＣやサーバなどの汎用の情報処理装置の通信用端子についても同様に適用可能である。本実施形態に係る情報処理装置は、このように構成されることで、拡張デバイス２の着脱の際に通信用端子に負荷がかかって通信用端子が破損したり、情報処理装置本体を着脱方向に対向して支えなければならなかったりするといったことを防止することが可能となる。
【００５６】
また、本実施形態に係る構成は、ドングル型デバイス１に限らず、ＰＣやサーバなどの情報処理装置の機能やストレージを拡張したり情報処理装置の初期設定をしたりするために、情報処理装置に直接取り付けられて使用され、通信用端子のみで情報処理装置に固定される機能拡張装置であれば同様に適用可能である。
【符号の説明】
【００５７】
１  ドングル型デバイス
２  拡張デバイス
３  変換アダプタ
１１  ＨＤＭＩ（登録商標）端子
１２  通信用端子
１３  磁石
１４  電源入力端子
２２  通信用端子
２３  磁石
３１  通信用端子
３２  通信用端子
３３  磁石
１００  ＣＰＵ
１０１  ＲＡＭ
１０２  ＲＯＭ
１０３  ＮＶＲＡＭ
１０４  無線通信用Ｉ／Ｆ
１０５  拡張デバイス用Ｉ／Ｆ
１０６  画像出力用Ｉ／Ｆ
１０７  バス
【先行技術文献】
【特許文献】
【００５８】
【特許文献１】特開２００４−２０８２４５号公報
【特許文献２】特開２０１４−１９９６４８号公報
【図１】
2017033453.tif 000003
【図２】
2017033453.tif 000004
【図３】
2017033453.tif 000005
【図４】
2017033453.tif 000006
【図５】
2017033453.tif 000007
【図６】
2017033453.tif 000008
【図７】
2017033453.tif 000009
【図８】
2017033453.tif 000010
【図９】
2017033453.tif 000011
【図１０】
2017033453.tif 000012
【図１１】
2017033453.tif 000013
【図１２】
2017033453.tif 000014
【図１３】
2017033453.tif 000015
【図１４】
2017033453.tif 000016
【図１５】
2017033453.tif 000017
【図１６】
2017033453.tif 000018
【図１７】
2017033453.tif 000019